(57)【要約】      （修正有）【課題】容量の小さな薬用瓶の蓋であっても、その使用に際して従来に比して蓋が外し易い薬用瓶の蓋の提供する。【解決手段】蓋部材本体２０の頂面板２２の裏面側には、複数個の係止爪２３が連設されている。この係止爪２３の形状は、頂面板２２との連結部分である基端部２３ａの幅よりも先端部２３ｂの幅の方が小さくなるような形状に形成されている。蓋部材本体２０を口金１０に冠着させて、口金１０の透孔１３の周縁部に係止爪２３を係止させた状態においては、係止爪２３による口金１０に対する挟持力を従来に比して弱めることが出来る。【選択図】図７
0003189825.tif 000002
【実用新案登録請求の範囲】
【請求項１】
ゴム栓によって瓶口が閉塞されている薬用瓶の蓋であって、当該瓶口に冠着させた状態で該瓶口に固定される逆有底円筒状のアルミ等の金属薄板からなる口金と、該口金の上部に冠着させた状態で係止される逆有底円筒状の合成樹脂製の蓋部材本体との組み合せからなり、
前記口金は、円筒体からなる周胴部の上面に口金頂面板を一体的に形成することによって構成され、前記口金頂面板にはその中央部に円形の透孔が穿設され、
前記蓋部材本体は、円筒体からなる周胴部の上面に頂面板を一体的に形成することによって構成され、前記頂面板の裏面側の表面には、当該蓋部材本体が前記口金に冠着した状態で前記口金頂面板の前記透孔の周縁部方向に倒伏させることによって前記口金頂面板に係止可能な複数個の係止爪が下方に向って延在するように連設され、
前記係止爪の形状は、前記頂面板との連設部分である該係止爪の基端部と該係止爪の先端部とを比較した場合、その厚みが、前記基端部の厚みよりも前記先端部の厚みの方が薄くなるような形状に形成されていることを特徴とする薬用瓶の蓋。
【請求項２】
前記係止爪の形状は、その厚みが、前記基端部から前記先端部に向って連続的に薄くなるような形状に形成されていることを特徴とする請求項１に記載の薬用瓶の蓋。
【請求項３】
前記係止爪の形状は、その厚みが、前記先端部を含む先端部付近のみ薄くなるような形状に形成されていることを特徴とする請求項１に記載の薬用瓶の蓋。
【請求項４】
前記複数個の係止爪の前記基端部は同一円の円周上に位置するように前記頂面板の裏面側に連設され、前記複数個の係止爪のそれぞれは、周縁部方向に向って斜め下方に延在するように形成され、当該複数個の係止爪の先端部は同一円の円周上に位置し且つ当該複数個の係止爪の先端部を通る前記同一円の直径の値は、前記口金の前記透孔の直径未満の値となるように選ばれていることを特徴とする請求項１ないし請求項３のいずれかの項に記載の薬用瓶の蓋。
【請求項５】
ゴム栓によって瓶口が閉塞されている薬用瓶の蓋であって、当該瓶口に冠着させた状態で該瓶口に固定される逆有底円筒状のアルミ等の金属薄板からなる口金と、該口金の上部に冠着させた状態で係止される逆有底円筒状の合成樹脂製の蓋部材本体との組み合せからなり、
前記口金は、円筒体からなる周胴部の上面に口金頂面板を一体的に形成することによって構成され、前記口金頂面板にはその中央部に円形の透孔が穿設され、
前記蓋部材本体は、円筒体からなる周胴部の上面に頂面板を一体的に形成することによって構成され、前記頂面板の裏面側の表面には、当該蓋部材本体が前記口金に冠着した状態で前記口金頂面板の前記透孔の周縁部方向に倒伏させることによって前記口金頂面板に係止可能な複数個の係止爪が下方に向って延在するように連設され、
前記係止爪の形状は、前記頂面板との連設部分である該係止爪の基端部と該係止爪の先端部とを比較した場合、その幅が、前記基端部の幅よりも前記先端部の幅の方が狭くなるような形状に形成されていることを特徴とする薬用瓶の蓋。
【請求項６】
前記係止爪の形状は、前記基端部を底辺とし前記先端部を頂点とする三角形の形状に形成されていることを特徴とする請求項５に記載の薬用瓶の蓋。
【請求項７】
前記係止爪の形状は、前記先端部が半円形状の形状に形成されていることを特徴とする請求項５に記載の薬用瓶の蓋。
【請求項８】
前記複数個の係止爪の前記基端部は同一円の円周上に位置するように前記頂面板の裏面側に連設され、前記複数個の係止爪のそれぞれは、周縁部方向に向って斜め下方に延在するように形成され、当該複数個の係止爪の先端部は同一円の円周上に位置し且つ当該複数個の係止爪の先端部を通る前記同一円の直径の値は、前記口金の前記透孔の直径未満の値となるように選ばれていることを特徴とする請求項５ないし請求項７のいずれかの項に記載の薬用瓶の蓋。
【考案の詳細な説明】
【技術分野】
【０００１】
本考案は、注射剤等の薬液や粉末状の薬を収納する薬用瓶の瓶口に装着する薬用瓶の蓋に関するものである。
【背景技術】
【０００２】
注射剤等の薬液を収納しその瓶口が注射針の挿通可能なゴム栓によって閉塞されている
薬用瓶は従来から広く使用されている。このような従来の薬用瓶の蓋の断面図を図９に示す。
【０００３】
この薬用瓶の蓋は、図９に示すように、アルミ等の軟質金属薄板によって逆有底円筒状に形成した口金１０と、前記口金１０の上半部に冠着させることのできる合成樹脂製の蓋部材本体２０との組み合わせによって構成されている。
【０００４】
口金１０は、適宜の高さをした周胴部１１の上面に口金頂面板１２を一体的に形成することによって逆有底円筒状に形成されている。
【０００５】
１３は口金頂面板１２の中央部に穿設した透孔であり、この透孔１３を通して薬用瓶１の瓶口１ａに嵌装したゴム栓３の上面が露出できるようになっている。この口金１０は瓶口１ａに巻締め固定されている。
【０００６】
口金１０の上面に冠着する蓋部材本体２０は、適宜の硬度を有する合成樹脂を用いて形成するものであり、円筒状の周胴部２１を口金１０の周胴部１１に少しだけかぶすことができるよう浅い倒皿状となるように形成されている。２２は、頂面板である。
【０００７】
蓋部材本体２０の頂面板２２の裏面側の中央部には、図９，図１０に示すように、口金１０の口金頂面板１２に穿設した透孔１３の周縁部に当接しながら折り曲げ係止することができる複数個の係止爪２３が下方に向って延在するように連設されていて、この複数個の係止爪２３を透孔１３に嵌合させた後、口金１０の内側から折り曲げ加圧して周縁部方向に倒伏させることによって蓋部材本体２０を口金１０に係止させた状態にすることができる。
【０００８】
以上のように構成されている従来の薬用瓶の蓋は、内容物である薬液等の使用に際しては、使用者が蓋部材本体２０を口金１０から外してその内容物を使用している。
【考案の概要】
【考案が解決しようとする課題】
【０００９】
しかしながら、容量が小さい薬用瓶１においては、当然その蓋部材本体２０の大きさも小さくなり、図１１（ａ），（ｂ）に示したように、使用者の指Ｆでは外しにくいという問題が生じていた。
【００１０】
さらに、このような容量の小さな薬用瓶の蓋を大量に外す必要がある場合には、例えばインフルエンザワクチンの集団予防接種などの場合には、使用者が指先を痛めてしまうという問題も生じていた。
【課題を解決するための手段】
【００１１】
以上の問題を解決するために、本考案の第１の手段は、ゴム栓によって瓶口が閉塞されている薬用瓶の蓋であって、当該瓶口に冠着させた状態で該瓶口に固定される逆有底円筒状のアルミ等の金属薄板からなる口金と、該口金の上部に冠着させた状態で係止される逆有底円筒状の合成樹脂製の蓋部材本体との組み合せからなり、前記口金は、円筒体からなる周胴部の上面に口金頂面板を一体的に形成することによって構成され、前記口金頂面板にはその中央部に円形の透孔が穿設され、前記蓋部材本体は、円筒体からなる周胴部の上面に頂面板を一体的に形成することによって構成され、前記頂面板の裏面側の表面には、当該蓋部材本体が前記口金に冠着した状態で前記口金頂面板の前記透孔の周縁部方向に倒伏させることによって前記口金頂面板に係止可能な複数個の係止爪が下方に向って延在するように連設され、前記係止爪の形状は、前記頂面板との連設部分である該係止爪の基端部と該係止爪の先端部とを比較した場合、その厚みが、前記基端部の厚みよりも前記先端部の厚みの方が薄くなるような形状に形成されていることを特徴とするものである。ここで、前記係止爪の形状は、その厚みが、前記基端部から前記先端部に向って連続的に薄くなるような形状に形成されていてもよく、また、前記係止爪の形状は、その厚みが、前記先端部を含む先端部付近のみ薄くなるような形状に形成されてもよい。さらに、前記複数個の係止爪の前記基端部は同一円の円周上に位置するように前記頂面板の裏面側に連設され、前記複数個の係止爪のそれぞれは、周縁部方向に向って斜め下方に延在するように形成され、当該複数個の係止爪の先端部は同一円の円周上に位置し且つ当該複数個の係止爪の先端部を通る前記同一円の直径の値は、前記口金の前記透孔の直径未満の値となるように選ばれていてもよい。
【００１２】
以上の問題を解決するために、本考案の第２の手段は、ゴム栓によって瓶口が閉塞されている薬用瓶の蓋であって、当該瓶口に冠着させた状態で該瓶口に固定される逆有底円筒状のアルミ等の金属薄板からなる口金と、該口金の上部に冠着させた状態で係止される逆有底円筒状の合成樹脂製の蓋部材本体との組み合せからなり、前記口金は、円筒体からなる周胴部の上面に口金頂面板を一体的に形成することによって構成され、前記口金頂面板にはその中央部に円形の透孔が穿設され、前記蓋部材本体は、円筒体からなる周胴部の上面に頂面板を一体的に形成することによって構成され、前記頂面板の裏面側の表面には、当該蓋部材本体が前記口金に冠着した状態で前記口金頂面板の前記透孔の周縁部方向に倒伏させることによって前記口金頂面板に係止可能な複数個の係止爪が下方に向って延在するように連設され、前記係止爪の形状は、前記頂面板との連設部分である該係止爪の基端部と該係止爪の先端部とを比較した場合、その幅が、前記基端部の幅よりも前記先端部の幅の方が狭くなるような形状に形成されていることを特徴とするものである。ここで、前記係止爪の形状は、前記基端部を底辺とし前記先端部を頂点とする三角形の形状に形成されていてもよく、また、前記係止爪の形状は、前記先端部が半円形状の形状に形成されていてもよい。さらに、前記複数個の係止爪の前記基端部は同一円の円周上に位置するように前記頂面板の裏面側に連設され、前記複数個の係止爪のそれぞれは、周縁部方向に向って斜め下方に延在するように形成され、当該複数個の係止爪の先端部は同一円の円周上に位置し且つ当該複数個の係止爪の先端部を通る前記同一円の直径の値は、前記口金の前記透孔の直径未満の値となるように選ばれていてもよい。
【考案の効果】
【００１３】
本考案によれば、容量の小さな薬用瓶の蓋であっても、その使用に際して従来に比して蓋が外し易い薬用瓶の蓋を提供することができる。
【図面の簡単な説明】
【００１４】
【図１】本考案の実施例１の構成を示す斜視図である。
【図２】本考案の実施例１の構成を示す断面図である。
【図３】本考案の実施例１の構成の説明図である。
【図４】本考案の実施例１の構成の説明図である。
【図５】本考案の実施例１の構成の説明図である。
【図６】本考案の実施例１の構成の説明図である。
【図７】本考案の実施例２の構成を示す斜視図である。
【図８】本考案の実施例２の構成の説明図である。
【図９】従来の薬用瓶の蓋の構成を示す断面図である。
【図１０】従来の薬用瓶の蓋の構成を示す分解斜視図である。
【図１１】従来の薬用瓶の蓋の説明図である。
【考案を実施するための形態】
【００１５】
以下、図面を用いて本考案の実施例を説明する。
【実施例１】
【００１６】
図１は本考案の実施例１に係る蓋部材本体２０を裏面側から視た構成を示す斜視図であり、図２（ａ）はそのＡ−Ａ断面図である。なお図２（ｂ）は、図２（ａ）と同じ部分の従来例の断面図である。図１および図２において、先に従来例の説明に用いた図９および図１０と同一符号のものは同一のものを示している。
【００１７】
本実施例１においては、図２（ａ）に示したように係止爪２３の頂面板との連設部分である係止爪２３の基端部２３ａの厚みより先端部２３ｂの厚みの方が薄くなるような形状に係止爪２３が形成されている。図１に示すように、このような複数個の係止爪２３が、その基端部２３ａが同一円上となるように蓋部材本体２０の頂面板２２の裏面側の中央部に配設されている。また、この複数個の基端部２３ａを通る円Ｃ１の直径は、従来例と同様に口金１０の透孔１３の直径未満の値となるように選ばれている。
【００１８】
以上のように構成された本実施例１に係る蓋部材本体２０を、図３（ａ），（ｂ）に示すように、薬用瓶１の上部に装着した場合には、口金１０の透孔１３の周縁部を挟持している係止爪２３の先端部２３ｂの厚みが従来例に比して薄くなっているので、その挟持力を従来例に比して小さくすることができる。従って、従来例に比して蓋部材本体２０を口金１０から外し易くすることができる。
【００１９】
なお、この係止爪２３の厚みに関しては、図４（ａ）に示すように基端部２３ａから先端部２３ｂにかけて連続的に薄くなるように構成してもよいし、図４（ｂ）に示すように先端部２３ｂを含む先端部付近の部分だけが薄くなるように構成してもよい。
【００２０】
さらに、本実施例１のように係止爪２３の先端部２３ｂの厚みを薄くして口金１０に対する挟持力を従来に比して小さくするように構成した場合には、口金１０に対する挟持力が極端に小さくならないように、その折り曲げ加工を確実に行う必要がある。
【００２１】
このような複数個の係止爪２３の確実な折り曲げ加工を容易に行うことができるように複数個の係止爪２３を以下のように配設してもよい。
【００２２】
すなわち、図５（ａ），（ｂ）に示すように、係止爪２３を、口金１０に嵌着させる状態にしたとき周縁部方向に向って斜め下方に延在するように（図５（ａ），（ｂ）では斜め上方に延在するように）、あらかじめ配設しておけば、係止爪２３の確実な折り曲げ加工を容易に行うことができる。
【００２３】
このように複数個の係止爪２３を配設する場合には、その複数個の係止爪２３の先端部２３ｂを通る同一円Ｃ２の直径の値を、口金１０の透孔１３の直径未満に選んでおけば、図７（ａ），（ｂ）に示したようにして蓋部材本体２０の口金１０への係止加工を容易に且つ確実に行うことができる。
【実施例２】
【００２４】
先に説明した実施例１においては、係止爪２３の先端部２３ｂの厚みを基端部２３ａに比して薄くすることによって口金１０に対する挟持力を従来例に比して小さくしていたが、実施例２においては、先端部２３ｂの幅が基端部２３ａの幅よりも小さくなるような形状を選ぶことによって、口金１０に対する挟持力が従来例に比して小さくなるように構成されている。
【００２５】
すなわち、図７（ａ）に示したように係止爪２３の形状を基端部２３ａが底辺となり先端部２３ｂが頂点となるような三角形の形状に選んでおけば、図７（ｂ）に示したように蓋部材本体２０を口金１０に係止させた場合、口金１０に対する挟持力を従来例に比して小さくすることができる。
【００２６】
なお、この係止爪２３の形状は三角形に限られるものではなく、先端部２３ｂの幅が基端部２３ａの幅よりも小さくなるような形状であればどのような形状でもよく、例えば図８に示すように先端部２３ｂが半円形の形状のものであってもよい。
【００２７】
さらに、本実施例２においても、図５を用いて説明したように係止爪２３が斜め下方に延在するように予め配設しておけば、確実な折り曲げ加工を容易に行うことができる。
【符号の説明】
【００２８】
１  薬用瓶
１ａ  瓶口
２  薬液
３  ゴム栓
１０  口金
１１，２１  周胴部
１２  口金頂面板
１３  透孔
２０  蓋部材本体
２２  頂面板
２３  係止爪
２３ａ  基端部
２３ｂ  先端部
Ｃ  円
Ｆ  指
【図１】
0003189825.tif 000003
【図２】
0003189825.tif 000004
【図３】
0003189825.tif 000005
【図４】
0003189825.tif 000006
【図５】
0003189825.tif 000007
【図６】
0003189825.tif 000008
【図７】
0003189825.tif 000009
【図８】
0003189825.tif 000010
【図９】
0003189825.tif 000011
【図１０】
0003189825.tif 000012
【図１１】
0003189825.tif 000013